(57)【要約】【課題】小型機器に対する複数のインタフェース規格の搭載を容易にすることを可能としたコネクタを提供する。【解決手段】HDMI Type C規格の形状を有するレセフ゜タクル101の凹部内に配置された平板104の下面に、第1のインタフェース規格としてのHDMI規格の信号端子を配置する。平板104の上面に、第2のインタフェース規格の信号端子を配置する。HDMI Type C規格の形状を有するフ゜ラク゛201の凹部204の下側に、第1のインタフェース規格としてのHDMI規格の信号端子を配置し、凹部204の上側に、第2のインタフェース規格の信号端子を配置する。【選択図】図1
2008277253.tif 000002
【特許請求の範囲】
【請求項１】
HDMI Type C規格の形状を有するコネクタであって、
第１のインタフェース規格としてのHDMI規格の信号端子が、当該コネクタのレセプタクルの凹部内に配置された平板の一方の面に配置されるとともに、
HDMI規格とは異なる第２のインタフェース規格の信号端子が、前記平板の他方の面に配置されることを特徴とするコネクタ。
【請求項２】
前記第２のインタフェース規格の信号端子の配列を、前記第１のインタフェース規格の信号端子の配列に対して、垂直方向にずらして配置する構造を有することを特徴とする請求項１に記載のコネクタ。
【請求項３】
前記レセプタクルは、前記第２のインタフェース規格の信号端子が配置された平板の面に対向する側に、前記レセプタクルに挿入されるプラグをロックするロック機構を備え、
前記レセプタクルは、前記第２のインタフェース規格の信号端子が配置される側の平板の面上の、前記ロック機構と対向する領域には、前記第２のインタフェース規格の信号端子を配置しない構造を有することを特徴とする請求項１または２に記載のコネクタ。
【請求項４】
前記第１のインタフェース規格の信号端子、及び、当該第１のインタフェース規格の信号端子と共通する前記第２のインタフェース規格の信号端子に対して信号または電力を供給する共用の端子を前記レセプタクルに備えることを特徴とする請求項１乃至３のいずれか１項に記載のコネクタ。
【請求項５】
前記平板は、前記第１のインタフェース規格の信号端子が配置された一方の面と前記第２のインタフェース規格の信号端子が配置された他方の面との間に、グラウンド部を備えることを特徴とする請求項１乃至４のいずれか１項に記載のコネクタ。
【請求項６】
前記レセプタクルは、当該レセプタクルを設置する基板と接続するよう、前記レセプタクルの筐体から引き出される実装端子を、インタフェースの規格毎に異なる方向に引き出す構造を有することを特徴とする請求項１乃至５のいずれか１項に記載のコネクタ。
【請求項７】
HDMI Type C規格の形状を有するコネクタであって、
第１のインタフェース規格としてのHDMI規格の信号端子が、当該コネクタのプラグの凹部の一方の側に配置されるとともに、
HDMI規格とは異なる第２のインタフェース規格の信号端子が、前記プラグの凹部の他方の側に配置されることを特徴とするコネクタ。
【請求項８】
前記第２のインタフェース規格の信号端子の配列を、前記第１のインタフェース規格の信号端子の配列に対して、垂直方向にずらして配置する構造を有することを特徴とする請求項７に記載のコネクタ。
【発明の詳細な説明】
【技術分野】
【０００１】
本発明は、複数のインタフェース規格に対応するコネクタに関する。
【背景技術】
【０００２】
近年、機器（例えば、携帯電話、PDA、ビデオカメラ、デジタルカメラなど）の小型化が進展すると共に、より高速な伝送が可能な新しいインタフェースが規格化されている。また、個々のインタフェース規格では、Mini-USBや、HDMI(High-Definition Multimedia Interface) Type Cなど、機器の小型化に対応するために小型のコネクタの形状も規格化されている。
【０００３】
HDMI Type C規格のコネクタは、HDMI Specification Version 1.3 の中で定義されている（非特許文献１参照）。今後、HDMI規格は、映像信号を高速に転送するためのインタフェースの規格として広く展開されることが予想されている。
【非特許文献１】HDMI Specification Version 1.3
【発明の開示】
【発明が解決しようとする課題】
【０００４】
今後、広く展開されることが予想されるHDMI規格は、上述したように映像信号を高速に単方向で伝送することに特化した規格である。現状は、その規格内では、USB規格のような双方向高速伝送と、映像及び音声信号以外のデータの高速伝送ができない。従って、機器においては、映像及び音声信号の伝送用としてHDMI規格を搭載し、その他の双方向高速伝送用としてUSB規格などのHDMI規格とは異なるインタフェース規格を搭載することが予想される。
【０００５】
また、機器自身も小型化されている。従って、小型化される機器に複数のインタフェースを実装する場合、個々のインタフェース規格に対応する部品（コネクタ）が小型化されても、コネクタの設置箇所が限定されたり、機器の外観デザインに影響を与えたりすることが予想される。つまり、複数のインタフェース規格それぞれのコネクタを実装する必要がある機器を小型化するのは容易ではない。
【０００６】
本発明の目的は、機器に複数のインタフェース規格を容易に搭載することを可能としたコネクタを提供することにある。
【課題を解決するための手段】
【０００７】
上述の目的を達成するために、本発明のコネクタは、HDMI Type C規格の形状を有するコネクタであって、第１のインタフェース規格としてのHDMI規格の信号端子が、当該コネクタのレセプタクルの凹部内に配置された平板の一方の面に配置されるとともに、HDMI規格とは異なる第２のインタフェース規格の信号端子が、前記平板の他方の面に配置されることを特徴とする。
【０００８】
また、上述の目的を達成するために、本発明のコネクタは、HDMI Type C規格の形状を有するコネクタであって、第１のインタフェース規格としてのHDMI規格の信号端子が、当該コネクタのプラグの凹部の一方の側に配置されるとともに、HDMI規格とは異なる第２のインタフェース規格の信号端子が、前記プラグの凹部の他方の側に配置されることを特徴とする。
【発明の効果】
【０００９】
本発明によれば、HDMI Type C規格に互換性を持たせたコネクタを用いることで、機器にHDMI規格に加え、HDMI規格とは異なるインタフェース規格を容易に搭載することが可能となる。
【発明を実施するための最良の形態】
【００１０】
以下、本発明の実施の形態を図面に基づいて説明する。
【００１１】
［第１の実施の形態］
まず、本発明の第１の実施の形態に係るコネクタについて説明する前にHDMI Type C規格のコネクタについて説明する。
【００１２】
図３（ａ）から図３（ｄ）は、HDMI Type C規格のレセプタクルとして規格化されたコネクタの概要を示す図である。図３（ａ）は、正面図、図３（ｂ）は、Ａ−Ａ'線に沿う断面図、図３（ｃ）は、Ｂ−Ｂ'線に沿う断面図、図３（ｄ）は、Ｃ−Ｃ'線に沿う断面図である。
【００１３】
図３（ａ）から図３（ｄ）において、３０１は、HDMI Type C規格のレセプタクルの筐体を示している。レセプタクルの筐体（以後、レセプタクルと表記）３０１の内寸は、規格により幅１０．５ｍｍ、高さ２．５ｍｍ、奥行き５ｍｍに規定されている。また、レセプタクル３０１には、図３（ｄ）に示すように、筐体上部にプラグとの接続を確実に行うためのロック機構３０６が配置されている。
【００１４】
３０２は、レセプタクルとプラグが接続される部位以外の領域を示している。領域３０２は主に基板に対する実装時にコネクタ端子が配置される部分である。
【００１５】
３０３は、レセプタクルが実装されるレセプタクル実装基板を示している。図３（ｄ）では、レセプタクルは基板に実装されるものとして図示している。しかし、ハーネスなどの伝送線路への接続がなされるものであれば、レセプタクルの実装は基板に限定されるものではない。
【００１６】
３０４は、レセプタクル凹部内に置かれた平板を示している。図３（ｂ）に示すように、平板３０４の上面には信号端子は配置されていない。一方、図３（ｃ）に示すように、レセプタクルのHDMI信号端子３０５は、平板３０４の下面に配置されている。HDMI信号端子３０５は、０．４ｍｍピッチで１９本並べて配置されている。１９本の内１本（B→B’の向きで図３（ｃ）の左から２本目）は、＋５Vの電源端子となっており、他の信号端子よりも短く形成されている。
【００１７】
図４（ａ）から図４（ｅ）は、HDMI Type C規格のプラグとして規格化されたコネクタの概要を示す図である。図４（ａ）は、正面図、図４（ｂ）は、Ａ−Ａ'線に沿う断面図、図４（ｃ）は、Ｂ−Ｂ'線に沿う断面図、図４（ｄ）は、Ｃ−Ｃ'線に沿う断面図、図４（ｅ）は、Ｄ−Ｄ'線に沿う断面図である。
【００１８】
図４（ａ）から図４（ｅ）において、４０１は、HDMI Type C規格のプラグのシェルを示している。プラグのシェル（以後、プラグと表記）４０１の外寸は、規格により幅１０．４２ｍｍ、高さ２．４２ｍｍに規定されている。また、プラグ４０１には、図４（ｅ）に示すように、レセプタクルとの接続を確実に行うためのロック機構用の穴４０６がシェルの上部に形成されている。
【００１９】
４０２は、モールドされたケーブル端を示している。このケーブル端はユーザがケーブルを抜き差しする際に持つ部分となる。
【００２０】
４０４は、HDMI規格信号端子４０５が配置されたプラグの凹部を示している。この凹部４０４にレセプタクルの平板３０４が挿入され、プラグとレセプタクルの信号接続が確立する。図４（ｃ）に示すように、凹部４０４の下側には、HDMI規格の信号端子４０５が配置されている。HDMI信号端子４０５は、レセプタクルと同様に０．４ｍｍピッチで１９本並べて配置されている。１９本の内１本（A→A’の向きで図４（ｃ）の左から２本目）は、＋５Vの電源端子となっている。
【００２１】
次に、上記の図３（ａ）から図３（ｄ）と図４（ａ）から図４（ｅ）をベースとして、本発明の第１の実施の形態に係るコネクタの概要を図１（ａ）から図１（ｄ）と図２（ａ）から図２（ｅ）を用いて説明する。
【００２２】
図１（ａ）から図１（ｄ）は、本発明の第１の実施の形態に係るHDMI Type C規格形状を有するコネクタのレセプタクルの概要を示す図である。図１（ａ）は、正面図、図１（ｂ）は、Ａ−Ａ'線に沿う断面図、図１（ｃ）は、Ｂ−Ｂ'線に沿う断面図、図１（ｄ）は、Ｃ−Ｃ'線に沿う断面図である。
【００２３】
図１（ａ）から図１（ｄ）において、１０１は、HDMI Type C規格と同等の形状を有するレセプタクルのシェルを示している。HDMI Type C規格と同等の形状であるため、レセプタクルのシェル（以後、レセプタクルと表記）１０１の内寸は、幅１０．５ｍｍ、高さ２．５ｍｍ、奥行き５ｍｍに構成されている。また、レセプタクル１０１には、図１（ｄ）に示すように、プラグとの接続（嵌合）を確実に行うためのロック機構１０６がHDMI規格同様にシェル上部に、後述の平板１０４の上面に対向して配置されている。
【００２４】
１０２は、レセプタクルとプラグが接続される部位以外の領域を示している。領域１０２は主に基板に対する実装時にコネクタ端子が配置される部分である。
【００２５】
１０３は、レセプタクルが実装されるレセプタクル実装基板を示している。図１（ｄ）では、レセプタクルは基板へ実装されるものとして図示している。しかし、ハーネスなどの伝送線路への接続がなされるものであれば、レセプタクルの実装は基板に限定されるものではない。
【００２６】
１０４は、レセプタクル凹部内に置かれた平板を示している。図１（ｂ）に示すように、平板１０４の上面には、信号端子１０７と信号端子１０８が配置されている。信号端子１０７と信号端子１０８は、HDMI Type C規格で規格化されたHDMI規格信号端子以外の第２のインタフェース規格の信号端子である。
【００２７】
本実施の形態では、信号端子１０７をUSB規格の信号端子とし、信号端子１０８をIEEE1394（４ピン）規格の信号端子とする。つまり、HDMI Type C規格とは異なるインタフェース規格の信号端子が平板１０４の上面に配置されている。なお、平板１０４の上面に配置される信号端子は、図示のものに限定されるものではない。また、図１では、平板１０４の上面にUSB規格とIEEE1394規格の信号端子を実装した形態を示している。しかし、本発明は平板１０４の上面に２つの異なる信号端子を実装する必要は無い。平板１０４にHDMI Type C規格とは異なる１つ以上のインタフェース規格の信号端子が配置されていればよい。
【００２８】
一方、図１（ｃ）に示すように、平板１０４の下面には、HDMI Type C規格のHDMI信号端子１０５が配置されている。HDMI信号端子１０５は、HDMI Type C規格に従って０．４ｍｍピッチで１９本並べて配置されている第１のインタフェース規格の信号端子である。１９本の内１本（B→B’の向きで図１（ｃ）の左から２本目）は、＋５Vの電源端子となっており、他の信号端子よりも短く形成されている。
【００２９】
図２（ａ）から図２（ｅ）は、HDMI Type C規格形状を有するコネクタのプラグの概要を示す図である。図２（ａ）は、正面図、図２（ｂ）は、Ａ−Ａ'線に沿う断面図、図２（ｃ）は、Ｂ−Ｂ'線に沿う断面図、図２（ｄ）は、Ｃ−Ｃ'線に沿う断面図、図２（ｅ）は、Ｄ−Ｄ'線に沿う断面図である。
【００３０】
図２（ａ）から図２（ｅ）において、２０１は、HDMI Type C規格と同等の形状を有するプラグのシェルを示している。HDMI Type C規格と同等の形状であるため、プラグのシェル（以後、プラグと表記）２０１の外寸は、幅１０．４２ｍｍ、高さ２．４２ｍｍに構成されている。また、プラグ２０１には、図２（ｅ）に示すように、レセプタクルとの接続（嵌合）を確実に行うためのロック機構用の穴２０６がシェル上部に形成されている。
【００３１】
２０２は、モールドされたケーブル端を示している。このケーブル端はユーザがケーブルを抜き差しする際に持つ部分となる。
【００３２】
２０４は、HDMI規格信号端子が配置されたプラグの凹部を示している。この凹部２０４にレセプタクルの平板１０４が挿入され、プラグとレセプタクルの信号接続が確立する。図２（ｂ）に示すように、凹部２０４の上側（他方の側）には、信号端子２０７と信号端子２０８が配置されている。信号端子２０７と信号端子２０８は、HDMI Type C規格で規格化されたHDMI規格信号端子以外の第２のインタフェース規格の信号端子である。
【００３３】
本実施の形態では、信号端子２０７をUSB規格の信号端子とし、信号端子２０８をIEEE1394（４ピン）規格の信号端子とする。つまり、HDMI Type C規格とは異なるインタフェース規格が凹部２０４上側に配置されている。なお、プラグの凹部２０４内部の上側に配置される信号端子については、図示のものに限定されるものではない。また、図２では、凹部２０４内部の上側にUSB規格とIEEE1394規格の信号端子を実装した形態を示している。しかし、本発明は凹部２０４内部の上面に２つの異なる信号端子を実装する必要は無い。凹部２０４にHDMI Type C規格とは異なる１つ以上のインタフェース規格の信号端子が配置されていればよい。
【００３４】
一方、図２（ｃ）に示すように、凹部２０４の下側（一方の側）には、HDMI Type C規格のHDMI信号端子２０５が配置されている。HDMI信号端子２０５は、レセプタクルと同様に０．４ｍｍピッチで１９本並べて配置されている第１のインタフェース規格の信号端子である。１９本の内１本（A→A’の向きで図２（ｃ）の左から２本目）は、＋５Vの電源端子となっている。
【００３５】
次に、本実施の形態におけるコネクタを用いた接続形態の例について下記の表１と図５を用いて説明する。
【００３６】
図５は、コネクタの接続形態の例を示す図である。
【００３７】
図５は、表１に示した各接続形態において用いられる機器A及び機器Bのレセプタクル構造と、それらを接続するケーブルのプラグ構造を示すものである。なお、図１や図２ではHDMI Type C規格の信号端子に加え、第２のインタフェースとしてUSB規格とIEEE1394規格が共に実装された形態を示した。しかし、ここでは説明を簡略化するために、第２のインタフェースをUSB規格としている場合を想定している。先にも述べたが、第２のインタフェースはUSB規格に限定されるものではなく、他のインタフェース規格であってもよい。
【００３８】
各接続形態で使用しているコネクタ（プラグ／レセプタクル）を以下の表に示す。なお、以下の表１においてグレーで着色表示してあるコネクタは、現在規格化されている図３及び図４で示した通常のHDMI Type Cコネクタを備えるHDMIケーブルが使用できることを示している。また、以下の表１では、図１及び図２を用いて説明したHDMI Type C規格と他のインタフェース規格を備えたコネクタ（プラグ／レセプタクル）をHDMI Type C互換複合コネクタと称する。
【００３９】
【表１】
2008277253.tif 000003
【００４０】
接続形態１は、機器Aと機器Bに設けられるレセプタクルをHDMI Type C互換の複合コネクタとするとともに、機器Aと機器Bを接続するケーブルのプラグも本実施の形態のHDMI Type C互換の複合コネクタで構成するものである。この接続形態により、HDMIによる映像信号の高速伝送とUSBによる双方向高速伝送が可能となる。
【００４１】
接続形態２は、機器Aと機器Bに設けられるレセプタクルを、HDMI Type C互換の複合コネクタとしている。また、機器Aと機器Bを接続する接続ケーブルは、HDMI Type C規格のコネクタとしている。上述したように、本実施の形態の複合コネクタは、HDMI Type C規格の信号端子を備え、HDMI Type C規格に対して互換性を有する。これにより、機器Aと機器Bのレセプタクルが本実施の形態の複合コネクタであったとしても、図４に示したプラグを有するHDMI Type Cケーブルを使用できる。このケーブルにはUSB規格の信号端子は搭載されていないため、接続形態２は、HDMIによる映像信号の高速伝送だけが可能となる。
【００４２】
接続形態３は、接続形態２とは逆に、機器側がHDMI Type C規格のコネクタを有し、接続ケーブルのプラグが本実施の形態のHDMI Type C互換の複合コネクタ（プラグ）とした構成である。従って、接続形態３は、 HDMIによる映像信号の高速伝送だけが可能となる。
【００４３】
接続形態４と接続形態５は、機器Aのレセプタクルを本実施の形態のHDMI Type C互換複合コネクタで構成し、機器BのレセプタクルをHDMI Type C規格のコネクタで構成した形態である。接続形態４は、機器Aと機器Bを接続する接続ケーブルの双方のプラグとも、本発明のHDMI Type C互換の複合コネクタとした構成である。また、接続形態５は、機器Aと機器Bを接続する接続ケーブルの双方のプラグとも、HDMI Type C規格のコネクタとした構成である。
【００４４】
接続形態４及び接続形態５のいずれの場合であっても、本実施の形態の複合コネクタは、HDMI Type C規格に対して互換性を有する。従って、接続形態４及び接続形態５では、機器Aと機器B間においてHDMIによる映像信号の高速伝送が可能である。
【００４５】
接続形態６は、機器Aのレセプタクルを本実施の形態のHDMI Type C互換複合コネクタで構成し、機器BのレセプタクルをHDMI Type C規格のコネクタとUSB規格のコネクタで構成している。つまり、接続形態６は、機器Bのレセプタクルが、本実施の形態の複合コネクタではなく、個々に規格化されたコネクタをそれぞれ物理的に分けて備えた形態である。
【００４６】
接続形態６の場合には、機器Aと機器Bを接続するケーブルは、図５に示すように機器A側の複合コネクタの信号を機器B側のレセプタクル規格に合わせて個々に分岐するようにした構成としている。複数のインタフェースのコネクタを個別に搭載した機器Bと機器Aを接続する場合、従来であれば機器Aにも複数のインタフェースのコネクタを個別に搭載する必要があった。しかし、接続形態６のような構成とすることで、機器A側のレセプタクルを１つにまとめることができ、機器の小型化に寄与することが可能となる。
【００４７】
なお、図５では、機器BにHDMI規格とUSB規格のレセプタクル（コネクタ）をそれぞれ有する例を示しているが、これに限定されるものではない。例えば、HDMI規格のコネクタを有する機器とUSB規格のコネクタを有する機器が個別に存在しており、これらの機器と機器Aを図５の接続形態６に示したケーブルで接続する例も本発明に含まれる。
【００４８】
接続形態７は、機器Aのレセプタクルを本実施の形態のHDMI Type C互換複合コネクタで構成し、機器BのレセプタクルをUSB規格のコネクタのみとした形態である。この場合、機器Aと機器Bを接続するケーブルの両端のコネクタ（プラグ）は、機器A側プラグをHDMI Type C互換複合コネクタで構成し、機器B側プラグはUSBコネクタとなる。従って、接続形態７の構成であれば、HDMI Type C互換複合コネクタのレセプタクルを備えた機器と、USB規格のインタフェースのみを有する機器とを接続し、USBによる双方向高速伝送が可能となる。
【００４９】
図５及び表１では、７種類の接続形態を例に挙げたが、接続形態の種類はこれに限定されるものではない。例えば、接続形態５において、機器B側のレセプタクル形状がHDMI Type A規格で、かつ接続ケーブルの機器B側がHDMI Type A規格のプラグであっても、同様の効果が得られる。
【００５０】
以上の接続形態の説明でも分かるように、本実施の形態のコネクタは、HDMI Type C規格の外形寸法と同じ寸法としている。これにより、従来のHDMI Type C規格との互換性を確保することができる。さらに、HDMI Type C規格では利用されていなかった平板の一方の面にHDMIとは異なる他のインタフェース規格に対応する信号端子を設けたことで、HDMIとその他のインタフェースを備えたコネクタを構成することができる。これにより、機器にはインタフェース毎にコネクタを個別に搭載する必要がなくなり、機器の小型化に寄与することが可能となる。
【００５１】
以上説明したように、本実施の形態によれば、HDMI Type C規格に互換性を持たせたコネクタを用いることで、機器に対しHDMI規格に加え、その他のインタフェース規格を、設置スペースを低減した状態で搭載することが容易になる。
【００５２】
また、HDMI Type C規格に互換性を持たせたコネクタ（レセプタクル）は、図４に示したHDMI Type C規格対応のHDMIケーブル（プラグ）をそのまま使用できる。そのため、このコネクタを備えた機器と図３に示したレセプタクルを備えた機器との接続も可能である。
【００５３】
また、HDMI Type C規格と互換性を有するコネクタ（レセプタクル）を備えた機器同士の接続においては、１本のケーブルでHDMI規格と他のインタフェース規格（例えばUSB規格）での接続が可能となる。これにより、個々のインタフェース規格毎にケーブルを用意し、接続するような煩雑さを解消することができる。
【００５４】
［第２の実施の形態］
図６（ａ）及び図６（ｂ）は、本発明の第２の実施の形態に係るコネクタのレセプタクルの信号端子の配置位置を示す図である。図６（ａ）は、平板５０４の上部に設けられた第２のインタフェース規格の各信号端子と平板５０４の下部に設けられたHDMI Type C規格の各信号端子とを、同図で垂直方向に一致するように配置した場合を示す図である。また、図６（ｂ）は、平板５０４の上部に設けられた第２のインタフェース規格の各信号端子と平板５０４の下部に設けられたHDMI Type C規格の各信号端子とを、同図で垂直方向に一致しないように、ずらした位置に配置した場合を示す図である。
【００５５】
図６（ａ）及び図６（ｂ）は、コネクタのレセプタクルを正面からの見た場合の図である。５０１は、先に説明を行ったHDMI Type C規格の形状をなすレセプタクルである。レセプタクル５０１の凹部内には、平板５０４が配置されている。平板５０４の下面には、第１のインタフェース規格であるHDMI Type C規格に従って信号端子群５０５が配置されている。一方、平板５０４の上面には、第２のインタフェース規格の信号端子群５０７、５０８が配置されている。なお、５０７はUSB規格の端子群、５０８はIEEE1394規格の端子群とする。
【００５６】
図７（ａ）及び図７（ｂ）は、コネクタのプラグ側の信号端子の配置位置を示す図である。図７（ａ）は、図６（ａ）のレセプタクルと結合するように信号端子を配置したプラグを示す図である。図７（ｂ）は、図６（ｂ）のレセプタクルと結合するように信号端子を配置したプラグを示す図である。
【００５７】
図７（ａ）及び図７（ｂ）は、コネクタのプラグを正面から見た場合の図である。６０１は、先に説明を行ったHDMI Type C規格の形状をなすプラグである。プラグ６０１の凹部６０４の下側には、第１のインタフェース規格であるHDMI Type C規格に従った信号端子群６０５が配置されている。一方、凹部６０４の上側には、第２のインタフェース規格の信号端子群６０７、６０８が配置されている。
【００５８】
図６（ａ）及び図６（ｂ）に示すコネクタのレセプタクルと、図７（ａ）及び図７（ｂ）に示すコネクタのプラグとの接続関係は、以下の通りである。図６（ａ）に示すコネクタのレセプタクルと、図７（ａ）に示すコネクタのプラグとが接続関係にある（以下、接続Ａと表記）。また、図６（ｂ）に示すコネクタのレセプタクルと、図７（ｂ）に示すコネクタのプラグとが接続関係にある（以下、接続Ｂと表記）。
【００５９】
接続Ａと接続Ｂとでは、レセプタクル内の平板５０４の上面の信号端子群の配置位置が異なる。一方、レセプタクル内の平板５０４の下面に配置されたHDMI信号端子群の配置位置は、HDMI Type Cで規格された配置に準拠している。
【００６０】
上述したように、接続Ａにおいては、平板５０４の上面の信号端子群は、平板５０４の下面の信号端子群と垂直方向に一致させた配置としている。一方、接続Ｂにおいては、平板５０４の上面の信号端子群は、垂直方向において平板５０４の下面の信号端子群の間に配置されるようにずらした配置としている。
【００６１】
接続Ａの場合、プラグ内の信号端子群６０５と信号端子群６０７とが、もしくは信号端子群６０５と信号端子群６０８とが、垂直方向の同位置に配置されるため、互いに接触する可能性が高くなる。更に、信号端子群６０５、６０７、６０８を備えるプラグは、レセプタクルとの接続を確実に行うために、一定以上の弾性を有するスプリング機構を有することが予想される。従って、信号端子の弾性力を考慮した設計と製造をより厳密に行い、互いの接触を防ぐ必要がある。
【００６２】
一方、接続Ｂに関しては、レセプタクル側の平板５０４の下部信号端子群５０５の配置に対して、上部信号端子群５０７、５０８は垂直方向にずらして配置されている。つまり、下部信号端子群に含まれる信号端子の垂直方向の同じ位置に上部信号端子群に含まれる信号端子が配置されないようになっている。このため、上部の信号端子群と下部の信号端子群とが、互いに接触する可能性が、先の接続Ａに比べて低くなる。
【００６３】
なお、本実施の形態では、信号端子間の接触を抑えることができる接続Ｂの信号端子配置を推奨するが、これに限定されるものではなく、接続Ａの信号端子配置であってもよい。
【００６４】
以上説明したように、本実施の形態によれば、接続Ｂでは、第２のインタフェース規格の信号端子群の配置位置を第１のインタフェース規格の信号端子群の配置位置に対して垂直方向に一致しないように、ずらした配置としている。これにより、プラグ／レセプタクルの接続における上部信号端子と下部信号端子の接触を抑えることができる。
【００６５】
［第３の実施の形態］
図８（ａ）及び図８（ｂ）は、本発明の第３の実施の形態に係るコネクタのレセプタクルとプラグの信号端子配置禁止領域の一例を示す図である。図８（ａ）は、レセプタクルを上方向から見た状態を示す図である。また、図８（ｂ）は、プラグを上方向から見た状態を示す図である。
【００６６】
図８（ａ）において、７０１ａは、先に説明を行ったHDMI Type C規格で規定された形状を有するレセプタクルである。レセプタクル７０１ａの凹部内には、平板７０４が配置されている。平板７０４の上面には、第２のインタフェース規格の信号端子群７０７が配置されている。また、レセプタクル７０１ａの凹部内の上面には、プラグとの接続を確実にするために、図１で示したロック機構１０６が配置されている。
【００６７】
一方、図８（ｂ）の７０１ｂは、先に説明を行ったHDMI Type C規格で規定された形状を有するプラグである。プラグ７０１ｂの上面には、レセプタクル７０１ａとの接続を確実にするためのロック機構用の穴７０６が配置されている。
【００６８】
レセプタクル７０１ａとプラグ７０１ｂとを接続する場合、プラグ７０１ｂの挿入方向がレセプタクル７０１ａに対しずれてしまうと、レセプタクル７０１ａの凹部内の平板７０４がプラグ７０１ｂと正しく嵌合せずに上下方向に変移することがある。特に、HDMI Type C規格のコネクタは、デジタルカメラなどの小型機器への搭載を想定して設計されており、コネクタ自身の高さ方向を抑えた形状となっている。そのため、わずかな変移で、平板７０４の上面の配置された信号端子が、レセプタクル７０１ａのロック機構１０６と接触してしまう可能性がある。
【００６９】
従って、本実施の形態では、レセプタクル７０１ａの凹部内の平板７０４の上面で、かつロック機構１０６の対面となる領域（平板の面上の、ロック機構と対向する領域）に、信号端子の配置を禁止する信号端子配置禁止領域７１０を設ける構成としている。これにより、レセプタクル７０１ａとプラグ７０１ｂとを接続した際に嵌合の不良により、信号端子がロック機構１０６などに接触することを避けることが可能となる。
【００７０】
以上説明したように、本実施の形態によれば、レセプタクル７０１ａにおけるロック機構１０６の対面となる平板７０４の上面に信号端子配置禁止領域７１０を設ける構成としている。これにより、ロック機構７０６と信号端子の接触を防止することができる。
【００７１】
［第４の実施の形態］
図９（ａ）及び図９（ｂ）は、本発明の第４の実施の形態に係るコネクタのレセプタクルを側面から見た状態を示す図である。図９（ａ）において、８０１は、先に説明を行ったHDMI Type C規格で規定された形状を有するレセプタクルである。レセプタクル８０１の凹部内には、平板８０４が配置されている。図９（ａ）に示すように、平板８０４の下面には、第１のインタフェース規格であるHDMI Type C規格のインタフェースの信号端子群８０５が配置されている。また、平板８０４の上面には、第２のインタフェース規格の信号端子群８０７が配置されている。第２のインタフェース規格としては、USB規格が例として挙げられる。
【００７２】
第２のインタフェース規格がUSBである場合、USBにも電源端子が規格化されている。従って、図１や図２で示したコネクタでは、HDMIとUSB双方にそれぞれ電源端子を平板８０４を挟んで両側に配置することになる。これに対して、本実施の形態のコネクタ（レセプタクル）は、信号端子の削減を目的とした構成を有する。図９（ｂ）に示すように、平板８０４の両面に各々配置された第１のインタフェース規格（USB）の電源端子８１１ｂと第２のインタフェース規格の電源端子８１１ａとに対し、共通の電源供給端子８１１を設ける。
【００７３】
図９（ｂ）に示したUSBの電源端子８１１ｂは、共通の電源供給端子８１１から分岐し、平板８０４の下面に配置されている。一方、HDMI Type C規格の電源端子８１１ａも端子８１１ｂと同様に共通の電源端子８１１から分岐し、平板８０４の上面に配置されている。これにより、USBとHDMI Type Cにそれぞれ設けられた電源端子に電源（電力）を供給する電源供給端子を共用でき、コネクタ（レセプタクル）を基板に実装する際の端子の本数を１本削減することができる。ここでは、共通の信号端子として電源端子を例に挙げたが、これに限定されるものではなく、他の信号端子（例えばグラウンドなど）であってもよい。
【００７４】
なお、本実施の形態では、コネクタのレセプタクル側について説明を行ったが、プラグ側についても同様の構成を採用することが可能である。
【００７５】
以上説明したように、本実施の形態によれば、基板に対するコネクタの実装時に接続する信号端子を少なくとも１本削減することができる。
【００７６】
［第５の実施の形態］
図１０は、本発明の第５の実施の形態に係るコネクタのレセプタクルを正面から見た状態を示す図である。
【００７７】
図１０において、９０１は、先に説明を行ったHDMI Type C規格で規定された形状を有するレセプタクルである。レセプタクル９０１の凹部内には、平板９０４が配置されている。平板９０４の下面には、HDMI Type C規格のインタフェースの信号端子群９０５が配置されている。また、平板９０４の上面には、本発明の第２のインタフェース規格の信号端子群９０７、９０８が配置されている。ここでは、信号端子群９０７はUSB規格の信号端子とし、信号端子群９０８はIEEE1394規格の信号端子群とする。
【００７８】
複数の信号端子群を近接して配置する場合、信号の品質劣化に注意する必要がある。つまり、それぞれの規格の信号端子群の間で、クロストークなどの干渉などを極力抑制する構成を採用しなければならない。
【００７９】
そこで、本実施の形態では、この問題を解消するために、平板９０４の上下両面に配置した信号端子群９０５と信号端子群９０７、９０８との間にグラウンドプレート（グラウンド面）９１２を配設する構成としている。これにより、クロストーク等の信号干渉の発生を抑えることができる。
【００８０】
以上説明したように、本実施の形態によれば、平板９０４の中央にグラウンドプレート９１２（グラウンド部）を設ける構成としている。これにより、信号品質に関する規定が厳しく制限されているインタフェース規格に対して、インピーダンス制御やクロストークの影響を最小限に抑えることができる。
【００８１】
［第６の実施の形態］
図１１は、本発明の第６の実施の形態に係るコネクタのレセプタクルを基板に対して実装した状態をレセプタクルの上面から見た状況を示す図である。
【００８２】
図１１において、１００１は、先に説明を行ったHDMI Type C規格で規定された形状を有するレセプタクルである。１００２は、基板１００３に対する実装時に基板１００３との接続を行うコネクタ端子（実装端子）が配列される領域を示している。本実施の形態では、実装対象の基板に対して、インタフェースの規格毎にレセプタクルの筐体から引き出されるコネクタ端子をそれぞれ異なる方向となるように、コネクタ端子を配置する構成としている。１０２０は、HDMI Type C規格のコネクタ端子であり、１０２１は、USB規格のコネクタ端子であり、１０２２は、IEEE1394規格のコネクタ端子である。
【００８３】
このように複合コネクタから基板に配設するコネクタ端子（実装端子）を、規格毎にそれぞれ異なる方向に引き出すように配置することで、基板に対する実装時の作業性を向上させることが可能となる。これと共に、各インタフェースで規定されている、異なるインピーダンス規格値に対し、基板上のインピーダンス制御を容易に行うことができる。
【００８４】
なお、本実施の形態では、HDMI規格、USB規格、IEEE1394規格のコネクタ端子を例に挙げたが、インタフェース毎に配置されているコネクタ端子であれば、インタフェースの種類や数に限定されるものではない。
【００８５】
以上説明したように、本実施の形態によれば、基板側でのインピーダンス制御を容易に行うことができるとともに、実装時の作業性も向上させることが可能となる。
【図面の簡単な説明】
【００８６】
【図１】（ａ）は本発明の第１の実施の形態に係るHDMI Type C規格形状を有するコネクタのレセプタクルの概要を示す正面図である。（ｂ）は、（ａ）のＡ−Ａ'線に沿う断面図である。（ｃ）は、（ａ）のＢ−Ｂ'線に沿う断面図である。（ｄ）は、（ａ）のＣ−Ｃ'線に沿う断面図である。
【図２】（ａ）はHDMI Type C規格形状を有するコネクタのプラグの概要を示す正面図である。（ｂ）は、（ａ）のＡ−Ａ'線に沿う断面図である。（ｃ）は、（ａ）のＢ−Ｂ'線に沿う断面図である。（ｄ）は、（ａ）のＣ−Ｃ'線に沿う断面図である。（ｅ）は、（ａ）のＤ−Ｄ'線に沿う断面図である。
【図３】（ａ）はHDMI Type C規格のレセプタクルとして規格化されたコネクタの概要を示す正面図である。（ｂ）は、（ａ）のＡ−Ａ'線に沿う断面図である。（ｃ）は、（ａ）のＢ−Ｂ'線に沿う断面図である。（ｄ）は、（ａ）のＣ−Ｃ'線に沿う断面図である。
【図４】（ａ）はHDMI Type C規格のプラグとして規格化されたコネクタの概要を示す正面図である。（ｂ）は、（ａ）のＡ−Ａ'線に沿う断面図である。（ｃ）は、（ａ）のＢ−Ｂ'線に沿う断面図である。（ｄ）は、（ａ）のＣ−Ｃ'線に沿う断面図である。（ｅ）は、（ａ）のＤ−Ｄ'線に沿う断面図である。
【図５】コネクタの接続形態の例を示す図である。
【図６】（ａ）は本発明の第２の実施の形態に係るコネクタのレセプタクルの信号端子の配置位置を示す図であり、上部信号端子と下部信号端子とを水平方向に一致させた位置に配置した場合を示す図である。（ｂ）は、本発明の第２の実施の形態に係るコネクタのレセプタクルの信号端子の配置位置を示す図であり、上部信号端子と下部信号端子とを水平方向にずらした位置に配置した場合を示す図である。
【図７】（ａ）はコネクタのプラグの信号端子の配置位置を示す図であり、上部信号端子と下部信号端子とを水平方向に一致させた位置に配置した場合を示す図である。（ｂ）は、コネクタのプラグの信号端子の配置位置を示す図であり、上部信号端子と下部信号端子とを水平方向にずらした位置に配置した場合を示す図である。
【図８】（ａ）は本発明の第３の実施の形態に係るコネクタのレセプタクルとプラグの信号端子配置禁止領域の一例を示す図であり、レセプタクルの上面からの概要を示す図である。（ｂ）は、本発明の第３の実施の形態に係るコネクタのレセプタクルとプラグの信号端子配置禁止領域の一例を示す図であり、プラグの上面からの概要を示す図である。
【図９】（ａ）は本発明の第４の実施の形態に係るコネクタのレセプタクルの側面からの概要を示す図であり、共通の信号端子を設けない場合を示す図である。（ｂ）は、本発明の第４の実施の形態に係るコネクタのレセプタクルの側面からの概要を示す図であり、共通の信号端子を設けた場合を示す図である。
【図１０】本発明の第５の実施の形態に係るコネクタのレセプタクルの正面からの概要を示す図である。
【図１１】本発明の第６の実施の形態に係るコネクタのレセプタクルの基板に対する実装の様子を示す図である。
【符号の説明】
【００８７】
１０１  レセプタクル
１０４  平板
１０５  第１のインタフェース規格の信号端子
１０６  ロック機構
１０７、１０８  第２のインタフェース規格の信号端子
２０１  プラグ
２０４  凹部
２０５  第１のインタフェース規格の信号端子
２０７、２０８  第２のインタフェース規格の信号端子
５０１  レセプタクル
５０４  平板
５０５  第１のインタフェース規格の信号端子
５０７、５０８  第２のインタフェース規格の信号端子
６０１  プラグ
６０４  凹部
６０５  第１のインタフェース規格の信号端子
６０７、６０８  第２のインタフェース規格の信号端子
７０１ａ  レセプタクル
７０１ｂ  プラグ
７０７  第２のインタフェース規格の信号端子
７１０  信号端子配置禁止領域
８０１  レセプタクル
８１１  共通の信号端子
８１１ａ  第２のインタフェース規格の信号端子
８１１ｂ  第１のインタフェース規格の信号端子
９０１  レセプタクル
９０５  第１のインタフェース規格の信号端子
９０７、９０８  第２のインタフェース規格の信号端子
９１２  グラウンドプレート
１００１  レセプタクル
１００３  基板
１０２０  第１のインタフェース規格のコネクタ端子
１０２１、１０２２  第２のインタフェース規格のコネクタ端子
【図１】
2008277253.tif 000004
【図２】
2008277253.tif 000005
【図３】
2008277253.tif 000006
【図４】
2008277253.tif 000007
【図５】
2008277253.tif 000008
【図６】
2008277253.tif 000009
【図７】
2008277253.tif 000010
【図８】
2008277253.tif 000011
【図９】
2008277253.tif 000012
【図１０】
2008277253.tif 000013
【図１１】
2008277253.tif 000014